(57)【要約】【課題】使用時に必要以上に手間がかからず、かつ衣服のポケットに収納して携帯することが可能な携帯用粘着ローラを提供する。【解決手段】粘着テープ１１を円筒ロール１２に巻回し、円筒ロール１２の内部空間に、グリップ１３の先端部に形成された保持部１４を挿入した粘着ローラ１０において、粘着テープ１１の幅および円筒ロール１２の軸線方向の長さを５〜９ｃｍとし、かつ円筒ロール１２の直径を２〜３ｃｍとし、さらに携帯用粘着ローラ１０の最大長さを１２ｃｍ以下とした。これにより、使用時に必要以上に手間がかからず、かつ衣服のポケットＰに収納して携帯することができる。【選択図】図１
0003183905.tif 000002
【実用新案登録請求の範囲】
【請求項１】
円筒ロールの内部空間に、グリップの先端部に形成された保持部を挿入した携帯用粘着ローラにおいて、
前記粘着テープの幅および前記円筒ロールの軸線方向の長さを５〜９ｃｍとし、かつ該円筒ロールの直径を２〜３ｃｍとし、さらに前記携帯用粘着ローラの最大長さを１２ｃｍ以下とした携帯用粘着ローラ。
【請求項２】
前記保持部は、前記円筒ロールの内部空間の全長にわたって収納された円筒体で、かつ前記保持部の長さ方向の一端部には、前記円筒ロールに巻回された前記粘着テープの外径より大径なフランジが形成され、
前記グリップは、前記保持部の一端側の開口から該保持部の内部空間に出し入れ自在に収納され、
前記グリップの先端部には、前記粘着テープを覆う円筒カバーの端板によって塞がれた元部が固定され、
該円筒カバーの開口した先端部の内周面には、前記グリップを前記保持部の内部空間から引き出した際に、前記フランジの外周部を、前記保持部の軸線を中心にして回転自在に掛止する回転位置決めリングが形成された請求項１に記載の携帯用粘着ローラ。
【考案の詳細な説明】
【技術分野】
【０００１】
この考案は携帯用粘着ローラ、詳しくはポケットに収納して持ち運ができ、かつ衣服に付着した毛髪やゴミを接着して除去可能な携帯用粘着ローラに関する。
【背景技術】
【０００２】
従来、衣服に付着した毛髪やゴミを接着して除去するものとして、例えば特許文献１に開示された粘着ローラが知られている。これは、幅が１０ｃｍ以上の粘着テープを円筒ロール（芯材）に巻回し、円筒ロールの内部空間に、グリップの先端部に形成された保持部を挿入したものである。
【先行技術文献】
【特許文献】
【０００３】
【特許文献１】実用新案登録第３１７１８０９号公報
【考案の概要】
【考案が解決しようとする課題】
【０００４】
しかしながら、従来の粘着ローラは、このように粘着テープの幅が１０ｃｍ以上で、かつ円筒ロールの直径が５ｃｍで、さらにグリップを加えた粘着ローラの最大長さは２０ｃｍ以上もあった。そのため、粘着ローラ全体が大型化し、重量も嵩むものとなり、例えば外出先で女性が身だしなみを整えるために持ち歩きたい場合には、粘着ローラをバッグなどに入れるしかなく、例えば上着のポケットに収納して持ち運ぶことは不可能であった。
【０００５】
そこで、考案者は鋭意研究の結果、粘着ローラを平面視した状態で名刺サイズ（縦７０〜１２１ｍｍ×横３９〜７６ｍｍ）とすれば、衣服のポケットに収納して携帯が可能になるとともに、外出先でも人目を気にせず使用でき、かつ必要以上にゴミ取り作業に手間がかからないことを知見し、この発明を完成させた。
【０００６】
この考案は、外出先でも人目を気にせず使用でき、かつゴミ取り作業に必要以上に手間がかからず、衣服のポケットに収納して携帯することができる携帯用粘着ローラを提供することを目的としている。
【課題を解決するための手段】
【０００７】
請求項１に記載の考案は、粘着テープを円筒ロールに巻回し、円筒ロールの内部空間に、グリップの先端部に形成された保持部を挿入した携帯用粘着ローラにおいて、前記粘着テープの幅および前記円筒ロールの軸線方向の長さを５〜９ｃｍとし、かつ該円筒ロールの直径を２〜３ｃｍとし、さらに前記携帯用粘着ローラの最大長さを１２ｃｍ以下とした携帯用粘着ローラである。
【０００８】
粘着テープとしては、例えば、表面全体に粘着剤（例えばゴム系粘着剤など）が塗布され、かつ裏面が剥型面（蝋面、シリコーン面）となった一般的なものを採用することができる。粘着テープには、その長さ方向に向かって所定ピッチで、テープ幅方向に延びるミシン目を形成してもよい。
粘着テープの幅（円筒ロールの軸性方向の長さも同じ）が５ｃｍ未満では、テープ幅が短すぎて衣服のゴミ取りの作業時間が長くなる。また、粘着テープの幅が９ｃｍを超えれば、携帯用粘着ローラが大型化し、ポケットに収まりにくい。粘着テープの好ましい幅（円筒ロールの軸性方向の好ましい長さも同じ）は６〜８ｃｍである。この長さであれば、衣服のゴミ取りの作業時間が従来とほぼ同一で、かつ粘着ローラの小回りもよく、例えばスカートのフリルのあいだのゴミやホコリなどを支障なく粘着して取り除くことができる。
【０００９】
グリップは、その長さ方向を、円筒ロールの長さ方向に直交するように配置したもの（横型の携帯用粘着ローラ）でも、その長さ方向を、円筒ロールの長さ方向に揃えたもの（縦型の携帯用粘着ローラ）でもよい。グリップの形状は任意である。例えば、棒状でもよい。グリップの長さも携帯用粘着ローラの最大長さが１２ｃｍ以下となれば限定されず、例えば３〜８ｃｍである。グリップの素材は任意である。例えば、各種のプラスチック、各種の金属などを採用することができる。
保持部はグリップと分離不能に一体形成されたものでも、グリップと別体で形成されたものでもよい。保持部の素材はグリップと同様である。
携帯用粘着ローラの最大長さが１２ｃｍを超えれば、携帯用粘着ローラが大きくなってポケットに収納しにくくなる。携帯用粘着ローラの好ましい最大長さは７〜１０ｃｍである。ここでいう携帯用粘着ローラの最大長さとは、不使用時（保管時）の長さである。これは、グリップ等が伸縮（折り畳み、多段式のテレスコピックなど）することで、携帯用粘着ローラの最大長さが可変となる場合を考慮したものである。
【００１０】
請求項２に記載の考案は、前記保持部は、前記円筒ロールの内部空間の全長にわたって収納された円筒体で、かつ前記保持部の長さ方向の一端部には、前記円筒ロールに巻回された前記粘着テープの外径より大径なフランジが形成され、前記グリップは、前記保持部の一端側の開口から該保持部の内部空間に出し入れ自在に収納され、前記グリップの先端部には、前記粘着テープを覆う円筒カバーの端板によって塞がれた元部が固定され、該円筒カバーの開口した先端部の内周面には、前記グリップを前記保持部の内部空間から引き出した際に、前記フランジの外周部を、前記保持部の軸線を中心にして回転自在に掛止する回転位置決めリングが形成された請求項１に記載の携帯用粘着ローラである。
【００１１】
保持部は、円筒ロールの軸線方向の長さと同一の長さを有している。
「円筒ロールに巻回された粘着テープの外径より大径なフランジ」とは、未使用状態（最大時）の粘着テープの外径に比べて、両フランジの外径が大きいことを意味する。
フランジは、保持部の両端部に分離不能に配設してもよいが、粘着テープを使い終えた円筒ロールの交換が容易なように、フランジを保持部の端部に着脱可能（螺合、掛合など）に取り付けてもよい。
円筒カバーの素材は任意である。例えば、各種の合成樹脂、各種の金属などを採用することができる。円筒カバーとグリップとは、同一素材により一体形成してもよい。
円筒カバーの内径は、未使用状態の携帯用粘着ローラにおいて、円筒ロールに巻回された粘着テープの外径、および、フランジより大径であればよい。
円筒カバーの長さは、粘着テープの幅と同一またはそれより若干長い。
回転位置決めリングの周方向と直交する断面形状は、グリップの元部側のフランジの外周部を、円筒ロールの軸線を中心にして回転自在に掛止できれば任意である。
【考案の効果】
【００１２】
請求項１に記載の考案によれば、粘着テープの幅および円筒ロールの軸線方向の長さを５〜９ｃｍとし、かつ円筒ロールの直径を２〜３ｃｍとし、さらに携帯用粘着ローラの最大長さを１２ｃｍ以下としたため、外出先でも人目を気にせず使用でき、かつゴミ取り作業に必要以上に手間がかからず、衣服のポケットなどに収納して携帯することができる。もちろん、バッグなどに収納してもよい。
【００１３】
特に、請求項２に記載の考案によれば、使用時、グリップを保持部の内部空間から引き出し、円筒カバーにより覆われた粘着テープを露出させ、携帯用粘着ローラを使用する。このとき、円筒カバーの回転位置決めリングにより、保持部の一端部（元部）に有したフランジの外周部が、円筒ロールの軸線を中心にして回転自在に掛止される。その結果、ローラ使用中、円筒ロールがグリップから抜け落ちることはない。
【００１４】
また、不使用時には、グリップを円筒ロールの内部空間に押し込むことで、フランジの外周部が回転位置決めリングから外れ、粘着テープが円筒カバーによって覆われる。これにより、不使用時（保管時）の携帯用粘着ローラの最大長さがより以上に短くなり、携帯用粘着ローラのコンパクト化がさらに促進される。これにより、不使用時の携帯用粘着ローラの最大長さが１２ｃｍ以下（名刺サイズ）という制約の中で、ローラ使用時に長尺なグリップを確保することができ、粘着ローラが使いやすくなる。さらにまた、グリップに円筒カバーの元部を設けたため、単独作業としての円筒カバーの着脱が不要となる。
【図面の簡単な説明】
【００１５】
【図１】この考案の実施例１に係る携帯用粘着ローラの使用状態の斜視図である。
【図２】この考案の実施例１に係る携帯用粘着ローラのポケット収納状態の正面図である。
【図３】この考案の実施例２に係る携帯用粘着ローラの使用状態の斜視図である。
【図４】この考案の実施例３に係る携帯用粘着ローラの使用状態の縦断面図である。
【図５】この考案の実施例３に係る携帯用粘着ローラの収納状態の縦断面図である。
【考案を実施するための形態】
【００１６】
以下、この考案の実施例を具体的に説明する。
【実施例】
【００１７】
図１および図２において、１０はこの考案の実施例１に係る携帯用粘着ローラで（以下、粘着ローラ）、この粘着ローラ１０は、粘着テープ１１を円筒ロール１２に巻回し、円筒ロール１２の内部空間に、グリップ１３の先端部に形成された保持部１４を挿入し、粘着テープ１１が円筒カバー１５によって着脱可能に覆われた横型の粘着ローラである。
【００１８】
以下、これらの構成を具体的に説明する。
粘着テープ１１は、表面全体にゴム系の粘着剤が塗布され、かつ裏面全体に離型剤（蝋またはシリコーン樹脂）が塗布された幅が８ｃｍ、長さが１ｍで、かつシート長さ方向へ１０ｃｍピッチで、シート幅方向に延びるミシン目１１ａが形成された紙テープである。
円筒ロール１２は、合成樹脂からなる長さが８ｃｍ、外径が１．５ｃｍの円筒体である。円筒ロール１２の両端部の内部空間には、保持孔１４ａが各軸線上に配設された一対の短尺な円柱状の保持部１４が嵌入されている。
【００１９】
グリップ１３は金属からなる細い円柱体である。グリップ１３は、円筒ロール１２の長さ方向の中間部の一側方（円筒ロール１２の直径方向の一側方）に、グリップ１３の長さ方向を円筒ロール１２の長さ方向に直交させ、かつ粘着ローラ１０から離間して配置されている。グリップ１３の先端部（円筒ロール１２側の端部）には、グリップ１３と同一素材からなる二股アーム１６の元部が固定されている。二股アーム１６の両側の端部は、一対の保持部１４の保持孔１４ａにそれぞれ挿入される。これにより、円筒ロール１２と一体化した保持部１４が、二股アーム１６の両端部を中心として回転する。グリップ１３の長さは３ｃｍ、また粘着ローラ１０において、円筒ロール１２の軸線方向の長さａは１０ｃｍ、円筒ロール１２の軸線に直交する方向の長さｂは８ｃｍである。
実施例１において、粘着ローラ１０の最大長さＬは１２ｃｍである。
【００２０】
次に、図１を参照して、この考案の実施例１に係る粘着ローラ１０の使用方法を説明する。
図１に示すように、粘着ローラ１０を使用する際にはグリップ１３を指で摘み、衣服の上で円筒ロール１２を転がすことにより、その粘着面に衣服についた毛髪やゴミなどが貼り付き、これを除去することができる。また、粘着テープ１１の粘着力が低下した場合には、粘着テープ１１の先端部をミシン目１１ａから切り取り、新しい粘着面を粘着テープ１１の表面に露出して使用する。
【００２１】
このように、粘着ローラ１０として、粘着テープ１１の幅および円筒ロール１２の軸線方向の長さをそれぞれ８ｃｍとし、かつ円筒ロール１２の直径を３ｃｍとし、さらに携帯用粘着ローラ１０の最大長さを１２ｃｍとした小型のものを採用したため、外出先でも人目を気にせず使用でき、かつゴミ取り作業に必要以上の手間（作業時間）がかからず、上着のポケットＰなどに収納して携帯することができる。また、粘着テープ１１の幅を８ｃｍとしたため、粘着ローラ１０の小回りもよく、従来は掃除しにくかった箇所、例えば脇の下や、スカートのフリルのあいだのゴミやホコリなども、支障なく取り除くことができる。
【００２２】
次に、図３を参照して、この考案の実施例２に係る粘着ローラを説明する。
図３に示すように、この実施例２の粘着ローラ１０Ａの特長は、主に、横型であった実施例１の粘着ローラ１０を縦型のものに変更した点である。
具体的には、粘着テープ１１Ａの幅および円筒ロール１２Ａの軸線方向の長さを６ｃｍとし、粘着ローラ１０Ａにおいて、円筒ロール１２Ａの軸線方向の長さａは１０ｃｍ、円筒ロール１２Ａの軸線に直交する方向の長さｂは４ｃｍである。また、保持部１４Ａは、円筒ロール１２Ａの軸線方向の長さと同一長さで、グリップ１３Ａは、その元部が保持部１４Ａの一端部（先端部）に一体的に連結されている。さらに、円筒ロール１２の粘着テープ１１の外周面は、ヒンジを介して直径方向に半割可能な円筒カバー１５Ａによって、着脱自在に覆われている。
その他の構成、作用および効果は、実施例１から推測可能な範囲であるため、説明を省略する。
【００２３】
次に、図４および図５を参照して、この考案の実施例３に係る粘着ローラを説明する。
図４および図５に示すように、実施例３の粘着ローラ１０Ｂの特長は、保持部１４Ｂを、円筒ロール１２Ｂの内部空間の全長にわたって収納された円筒体とし、かつ保持部１４Ｂの長さ方向（軸線方向）の両端部に一対のフランジ１４ａ，１４ｂを配設し、グリップ１３Ｂを、保持部１４Ｂの内部空間に出し入れ自在に収納し、グリップ１３Ｂの先端部に、粘着テープ１１Ｂを覆う円筒カバー１５Ｂの端板１５ａにより塞がれた元部を一体的に形成し、円筒カバー１５Ｂの開口した先端部の内周面に、グリップ１３Ｂを保持部１４Ｂの内部空間から引き出した際に、保持部１４Ｂの長さ方向の一端部（元部）に配置されたフランジ１４ａの外周部を、保持部１４Ｂの軸線を中心にして回転自在に掛止する回転位置決めリング３０を形成した点である。フランジ１４ａは、円筒ロール１２Ｂに巻回された粘着テープ１１Ｂの外径より大径である。
【００２４】
グリップ１３Ｂの全長は、円筒ロール１２Ｂの軸線方向の長さと同じ８ｃｍである。グリップ１３Ｂの先端には、円筒カバー１５Ｂの端板１５ａの中心部を介して、外方に突出する摘み突起３１が形成されている。
円筒カバー１５の内径は、未使用状態の粘着ローラ１０において、円筒ロール１２Ｂに巻回された粘着テープ１１Ｂの外径およびフランジ１４ａより若干大きい。
回転位置決めリング３０は、内リング３０ａと外リング３０ｂとからなる。両リング３０ａ、３０ｂは、フランジ１４ａの厚さより１〜３ｍｍだけ長く円筒カバー１５Ｂの軸線方向に向かって平行に離間している。内リング３０ａの周方向に直交する断面形状は、グリップ１３Ｂの移動時に、フランジ１４ａの外周部が乗り越えやすいように、半円形状または半楕円形状となっている。一方、外リング３０ｂの周方向に直交する断面形状は、グリップ１３Ｂの移動時に、フランジ１４ａの外周部が乗り越えにくいように、矩形状または台形状としている。また、外リング３０ｂをより乗り越えにくくするため、外リング３０ｂの隆起幅を、内リング３０ａに比べて大きくしてもよい。不使用時における粘着ローラ１０Ｂのサイズは、円筒ローラ１２Ｂの軸線方向の長さａが９ｃｍ、円筒ローラ１２Ｂの軸線に直交する方向の長さが３．５ｃｍ、粘着ローラ１０Ｂの最大長さＬは１０ｃｍである。
【００２５】
実施例３の粘着ローラ１０Ｂの使用時には、摘み突起３１とフランジ１４ｂの隆起した先端部とを摘まんで、グリップ１３Ｂを保持部１４Ｂの内部空間から引き出し、円筒カバー１５Ｂにより覆われた粘着テープ１１Ｂを露出させる。このとき、粘着ローラ１０Ｂの円筒ロール１２Ｂの軸線方向の長さａ１は、不使用時の長さａの約２倍である。その後、円筒カバー１５Ｂを握り、この状態のまま、グリップ１３Ｂを中心にして粘着テープ１１Ｂ付きの円筒ロール１２Ｂを回転させながら、粘着ローラ１０Ｂを使用する。このとき、フランジ１４ａの外周部は、円筒カバー１５Ｂの回転位置決めリング３０によって、保持部１４Ｂ（グリップ１３Ｂ）の軸線を中心にして回転自在に掛止されている。その結果、ローラ使用中、円筒ロール１２Ｂがグリップ１３Ｂから抜け落ちることはない。
【００２６】
また、不使用時には、グリップ１３Ｂを円筒ロール１２Ｂの内部空間に押し込む。これにより、フランジ１４ａの外周部が回転位置決めリング３０（内リング３０ａ）から外れ、粘着テープ１１Ｂが円筒カバー１５Ｂによって覆われる。その結果、不使用時（保管時）の粘着ローラ１０Ｂの最大長さが実施例２の場合より短くなり、粘着ローラ１０Ｂのコンパクト化が促進されるとともに、不使用時の粘着ローラ１０Ｂの最大長さが１２ｃｍ（名刺サイズ）以下という制約の中で、ローラ使用時に長尺なグリップ１３Ｂを確保でき、粘着ローラ１０Ｂが使いやすくなる。さらにまた、グリップ１３Ｂに円筒カバー１５Ｂの元部を一体形成したため、単独作業としての円筒カバーの着脱が不要となる。
その他の構成、作用および効果は、実施例２から推測可能な範囲であるため、説明を省略する。
【産業上の利用可能性】
【００２７】
この考案は、ポケットに収納できるため、出先での使用に好適な携帯用粘着ローラとして有用である。
【符号の説明】
【００２８】
１０，１０Ａ，１０Ｂ  携帯用粘着ローラ、
１１，１１Ａ，１１Ｂ  粘着テープ、
１２，１２Ａ，１２Ｂ  円筒ロール、
１３，１３Ａ，１３Ｂ  グリップ、
１４，１４Ａ，１４Ｂ  保持部、
１４ａ  フランジ、
１５，１５Ａ，１５Ｂ  円筒カバー、
１５ａ  端板、
３０  回転位置決めリング。
【図１】
0003183905.tif 000003
【図２】
0003183905.tif 000004
【図３】
0003183905.tif 000005
【図４】
0003183905.tif 000006
【図５】
0003183905.tif 000007